(57)【特許請求の範囲】
【請求項１】
ねこ等の小動物の爪が引っ掛かり不可能な板材が、柵部の上部の一方の柵面と他方の柵面にそれぞれ重ね合わされており、
これら一対の板材の上端は、前記柵部の上端部を構成する上側枠よりも上方に突出し、
前記小動物の爪が引っ掛かり不可能で、かつ、前記一対の板材の表側の面同士の間の長さよりも大径の円筒部材が、前記上側枠に沿ってこの上側枠に載置され固定されるとともに、前記円筒部材の下半部の外周面が前記一対の板材の上端に載置されて前記一対の板材に下方から支持されている小動物の通過防止柵。
【請求項２】
前記円筒部材と前記上側枠とに巻回された締め付け部材により、前記円筒部材が前記上側枠に締め付け固定されている請求項１記載の小動物の通過防止柵。
【発明の詳細な説明】
【技術分野】
【０００１】
本発明は、ねこ等の小動物の通過防止柵に関する。
【背景技術】
【０００２】
ねこ等の小動物の飼育者には室内飼育が薦められている。しかしながら、ねこ等を室内だけでなく自宅の庭でも自由に遊ばせたいと考えている飼育者も多い。その手段として、単に一般的な柵で自宅の敷地を囲んだだけでは、柵をいくら高くしてもねこは柵部に爪を引っ掛けて簡単に柵部をよじ登ってしまう。そこで、従来、特許文献１に開示されているような、上端部に返しのついた柵で敷地を囲む手段が提案されていた。
【先行技術文献】
【特許文献】
【０００３】
【特許文献１】特開２００５−３３０７３５号公報
【発明の概要】
【発明が解決しようとする課題】
【０００４】
上記従来の手段によれば、図５（ａ）に示すように、柵１の上端部の返し２０が庭側に張り出して、返し２０の先端部２０Ａ（上端部）が庭木１２に接近した状態になる。その結果、ねこ１１等が庭木１２を登って柵１の返し２０の先端部２０Ａに飛び移りやすくなり、庭木１２にねこ１１の登り防止柵を設けなければならなくなる。また、上端部に返し２０がついた柵１は、返し２０のない柵１よりも製作コストが高い。
本発明は上記実状に鑑みて成されたもので、その目的は、庭木にねこ等の小動物の登り防止柵を設ける必要がなく、製作コストを低減できる小動物の通過防止柵を提供する点にある。
【課題を解決するための手段】
【０００５】
本発明の特徴は、
ねこ等の小動物の爪が引っ掛かり不可能な板材が、柵部の上部の一方の柵面と他方の柵面にそれぞれ重ね合わされており、
これら一対の板材の上端は、前記柵部の上端部を構成する上側枠よりも上方に突出し、
前記小動物の爪が引っ掛かり不可能で、かつ、前記一対の板材の表側の面同士の間の長さよりも大径の円筒部材が、前記上側枠に沿ってこの上側枠に載置され固定されるとともに、前記円筒部材の下半部の外周面が前記一対の板材の上端に載置されて前記一対の板材に下方から支持されている点にある。（請求項１）
【０００６】
上記の構成により、次の作用を奏することができる。
（１）  ねこ等の小動物は柵部を板材の下端付近までしかよじ登ることができない。そして、ねこ等が板材の下端付近から上方に大きくジャンプして、板材の上方の円筒部材に両手が接触しても、手の爪は円筒部材に引っ掛からないので、ねこ等は円筒部材を乗り越えることができない。
（２）  円筒部材は、一対の板材の表側の面同士の間の長さよりも大径であり、円筒部材の外周面が板材の表側の面の外方側に張り出した状態になるから、ねこ等の手が円筒部材の上半部に接触しにくくなる。これにより、ねこ等の手の爪が円筒部材に引っ掛かることを、より確実に防止することができる。
（３）  ねこ等の小動物は、柵の一方の柵面の外方側と、他方の柵面の外方側とのいずれの側からも柵を通過することができない。従って、ねこ等の小動物の飼育者が自宅の敷地に本発明の柵を設置した場合、飼育者のねこ等が柵を乗り越えて脱走することを防止できるだけでなく、外部の野良ねこ等が柵を乗り越えて敷地内に侵入することも防止することができる。
（４）  図５（ａ）に示すように、ねこ１１等の小動物の飼育者が、上端部に返し２０のついた柵１で敷地を囲む手段では、前述のように、柵１の上端部の返し２０が庭側に張り出して、返し２０の先端部２０Ａ（上端部）が庭木１２に接近した状態になるが、本発明の上記構成によれば、図５（ｂ）に示すように、柵１の一部分が庭木１２に接近した状態にはならない。従って、ねこ１１等が庭木１２を登っても柵１の一部分に飛び移ることはできず、庭木１２にねこ１１の登り防止柵を設ける必要がない。また、本発明の上記構成によれば、上端部に返し２０のついた柵１よりも、柵１の製作コストを低減することができる。
（５）  前記板材を柵部の上部の柵面に重ね合わせただけの構造（円筒部材を備えない構造）では、板材の上下方向の長さが短いと、板材の下端の近くまで柵部を登ってきたねこがそこから上方に大きくジャンプし、板材の上端に爪を引っ掛けて板材を乗り越えてしまう虞れがある。従って、板材の上下方向の長さをかなり長くしなければならず、これでは柵の見栄えが低下する。その上、台風の際には、板材が大きな風圧を受けるために柵が倒れやすい。
これに対して、本発明の上記構成によれば、円筒部材を設けたことで、板材の上下方向の長さを短くすることができ、板材の上下方向の長さが長くなることに起因する見栄えの低下を回避できる。しかも、円筒部材と板材の色を異ならせることで、柵の上端部にアクセントをつけることができて、より見栄えをよくすることができる。さらに、柵の高さ寸法を短く（柵の高さを低く）することができ、台風の際に柵が倒れにくくすることができる。
（６）  前記円筒部材の下半部の外周面が前記一対の板材の上端に載置されて前記一対の板材に下方から支持されているから、円筒部材が板材によって安定支持されて、柵の内外方向に倒れることを防止することができる。これにより、ねこ等の脱走侵入防止効果をより確実に得ることができるとともに、柵の見栄えをより一層よくすることができる。
（７）  前記一対の板材は、ねこ等の爪を引っ掛けさせないスリップ部材としての機能だけでなく、円筒部材を下方から受け止め支持する支持部材としての機能も発揮するから、例えば、円筒部材が柵の内外方向に倒れることを防止するための専用の支持部材を前記板材とは別個に設けた構造に比べると、部品点数を少なくすることができ、構造を簡素化でき、製作コストを低減することができる。
（８）  既に敷地に立設されて長年使用されていた一般的な柵（返しのない従来の柵）に対し、この柵の柵部に前記板材を重ね合わせて固定するとともに、柵部の上端部の上側枠に円筒部材を載置固定するといった簡単な追加工事を行うだけで、本発明の柵を完成させることができる。（請求項１）
【０００７】
本発明において、
前記円筒部材と前記上側枠とに巻回された締め付け部材により、前記円筒部材が前記上側枠に締め付け固定されていると、次の作用を奏することができる。（請求項２）
【０００８】
（９）  円筒部材を柵部の上側枠に固定する場合、一般的には、両端部に雄ねじ部を備えたＵ字状の金具と、前記上側枠から柵部の内外方向に張り出させた取り付け板とから成る固定具を用い、Ｕ字状の金具を円筒部材に上方から外嵌するとともに、前記雄ねじ部を取り付け板側のナットに螺合させて固定する方法が考えられる。しかしながら、このような固定手段では、上側枠から柵部の内外方向に張り出させた取り付け板にねこ等が爪を引っ掛けて円筒部材を乗り越えやすい。
これに対して、本発明の上記構成によれば、前記円筒部材と前記上側枠とに巻回された締め付け部材により、前記円筒部材が前記上側枠に締め付け固定されているから、ねこ等が爪を引っ掛ける張り出し部が上側枠付近に形成されることを回避することができる。従って、ねこ等が円筒部材を乗り越えることを確実に防止することができる。
（１０）  一方、円筒部材に上方からスクリューを貫通させて、円筒部材を柵部の上側枠にスクリューで取り付けると、上側枠にスクリュー孔が形成され、スクリュー孔の内周面に錆が発生して、上側枠の耐久性が低くなる。また、長いスクリューが必要になり、スクリューに要するコストが高くなる。
これに対して、本発明の上記構成によれば、上側枠にスクリュー孔を形成しないから、上側枠に錆が発生することを回避でき、上側枠の耐久性を向上させることができる。そして、スクリューを不要にできて、コストを低減することができる。（請求項２）
【発明の効果】
【０００９】
本発明によれば、
庭木にねこ等の小動物の登り防止柵を設ける必要がなく、製作コストを低減でき、見栄えをよくすることができ、台風の際にも倒れにくい小動物の通過防止柵を提供することができた。
【図面の簡単な説明】
【００１０】
【図１】小動物の通過防止柵の斜視図
【図２】図１のＡ−Ａ断面図
【図３】図１のＢ−Ｂ断面図
【図４】円筒部材に対するねこの爪のスリップ状態を示す図
【図５】（ａ）は、比較例の模式図であり、庭木に登ったねこが柵に飛び移ることができることを示す模式図、（ｂ）は、庭木に登ったねこが柵に飛び移ることができないことを示す模式図
【発明を実施するための形態】
【００１１】
本発明を実施するための形態を図面に基づいて説明する。
図１に、ねこ１１（図５（ｂ）参照）の脱走侵入防止柵１の一部分を示してある。ねこ１１は特許請求の範囲の「小動物」の一例であり、ねこ１１の脱走侵入防止柵１は「小動物の通過防止柵」の一例である。以下、前記脱走侵入防止柵１を「柵１」と略称する。
【００１２】
この柵１は、ねこ１１の飼育者の自宅敷地の周部に所定の間隔を空けて立設された複数の円筒状の支柱２と、隣り合う支柱２の上端部間に架け渡された円筒状の上側枠７と、隣り合う支柱２の下端部間に架け渡された円筒状の下側枠８と、支柱２・上側枠７・下側枠８間に架け渡された金網部９とを備えている。
【００１３】
支柱２・上側枠７・下側枠８・金網部９は金属製である。支柱２・上側枠７・下側枠８・金網部９で柵部３を構成しており、これらは防錆のためのメッキ処理がされている。
【００１４】
図１〜図３に示すように、ねこ１１の爪１０（図４参照）が引っ掛かり不可能な横断平面視円弧波形状（図３参照、複数の支柱２が並ぶ方向Ｊに波が連続する波形）の金属板４（板材に相当）が、柵部３の上部の一方の柵面と他方の柵面にそれぞれ重ね合わされて、スクリューＳで支柱２に固定されている。一対の金属板４の上端４Ｊは、柵部３の上端部を構成する上側枠７よりも上方に突出している（図２参照）。前記スクリューＳは、金属板４の波形の底部４Ｂと支柱２とにわたって螺合している（図３参照）。
【００１５】
さらに、ねこ１１の爪１０が引っ掛かり不可能で、かつ、一対の金属板４の表側の面同士の間の長さよりも大径の塩ビパイプ５（塩化ビニル製のパイプであり、円筒部材に相当）が、上側枠７に沿ってこの上側枠７に載置され固定されるとともに、塩ビパイプ５の下半部の外周面が一対の金属板４の上端４Ｊに載置されて一対の金属板４に下方から支持されている。図２に示すように、塩ビパイプ５の外周面は、金属板４の表側の面の外方側に張り出している。
【００１６】
塩ビパイプ５は、この塩ビパイプ５と上側枠７とに巻回されたステンレス製の針金６（締め付け部材に相当）により上側枠７に締め付け固定されている。
【００１７】
本実施形態では、金属板４の長手方向（塩ビパイプ５の長手方向と同一方向である）の略全長において、金属板４の上端４Ｊが塩ビパイプ５の下半部の外周面に当接している。この構造に換えて、金属板４の長手方向の一部分において、前記金属板４の上端４Ｊが塩ビパイプ５の下半部の外周面に当接している構造であってもよい。
【００１８】
図２に示すように、前記針金６は、金属板４の上端４Ｊ付近では、金属板４の波形の頂部４Ａの内面付近に位置している。符号６Ａは、ねじられて互いに連結された針金６の一対の端部である。この端部６Ａは、塩ビパイプ５の上方に位置する。
【００１９】
本発明によれば、次の作用を奏することができる。
（１）  ねこ等の小動物は柵部３を金属板４の下端付近までしかよじ登ることができない。そして、ねこ１１が金属板４の下端付近から上方に大きくジャンプして、金属板４の上方の塩ビパイプ５に両手が接触しても、手の爪１０は塩ビパイプ５に引っ掛からないので（図４参照）、ねこ１１は塩ビパイプ５を乗り越えることができない。図４の符号Ｃは塩ビパイプ５に対する前記爪１０のスリップ方向である。
（２）  塩ビパイプ５の外周面が金属板４の表側の面の外方側に張り出した状態になるから、ねこ１１の手が塩ビパイプ５の上半部に接触しにくくなる。これにより、ねこ等の手の爪１０が塩ビパイプ５に引っ掛かることを、より確実に防止することができる。
（３）  ねこ１１は、柵１の一方の柵面の外方側と、他方の柵面の外方側とのいずれの側からも柵１を通過することができない。従って、ねこ１１の飼育者が自宅敷地に本発明の柵１を設置した場合、飼育者のねこ１１が柵１を乗り越えて脱走することを防止できるだけでなく、外部の野良ねこ１１が柵１を乗り越えて敷地内に侵入することも防止することができる。
（４）  図５（ａ）に示すように、ねこ１１等の小動物の飼育者が、上端部に返し２０のついた柵１で敷地を囲む手段では、柵１の上端部の返し２０が庭側に張り出して、返し２０の先端部２０Ａ（上端部）が庭木１２に接近した状態になる。
これに対して、本発明の上記構成によれば、図５（ｂ）に示すように、柵１の一部分が庭木１２に接近した状態にはならない。従って、ねこ１１等が庭木１２を登っても柵１の一部分に飛び移ることはできず、庭木１２にねこ１１の登り防止柵を設ける必要がない。また、本発明の上記構成によれば、上端部に返し２０のついた柵１よりも、柵１の製作コストを低減することができる。
（５）  前記金属板４を柵部３の上部の柵面に重ね合わせただけの構造（塩ビパイプ５を備えない構造）では、金属板４の上下方向の長さが短いと、金属板４の下端の近くまで柵部３を登ってきたねこがそこから上方に大きくジャンプし、金属板４の上端に爪１０を引っ掛けて金属板４を乗り越えてしまう虞れがある。従って、金属板４の上下方向の長さをかなり長くしなければならず、これでは柵１の見栄えが低下する。その上、台風の際には、金属板４が大きな風圧を受けるために柵１が倒れやすい。
これに対して、本発明の上記構成によれば、塩ビパイプ５を設けたことで、金属板４の上下方向の長さを短くすることができ、金属板４の上下方向の長さが長くなることに起因する見栄えの低下を回避できる。しかも、塩ビパイプ５と金属板４の色を異ならせることで、柵１の上端部にアクセントをつけることができて、より見栄えをよくすることができる。さらに、柵１の高さ寸法を短く（柵１の高さを低く）することができ、台風の際に柵が倒れにくくすることができる。
（６）  塩ビパイプ５の下半部の外周面が一対の金属板４の上端４Ｊに載置されて前記一対の金属板４に下方から支持されているから、塩ビパイプ５が金属板４によって安定支持されて、柵１の内外方向Ｗ（図２，図３参照）に倒れることを防止することができる。これにより、ねこ１１等の脱走侵入防止効果をより確実に得ることができるとともに、柵１の見栄えをより一層よくすることができる。
（７）  一対の金属板４は、ねこ１１等の爪１０を引っ掛けさせないスリップ部材としての機能だけでなく、塩ビパイプ５を下方から受け止め支持する支持部材としての機能も発揮するから、例えば、塩ビパイプ５が柵１の内外方向に倒れることを防止するための専用の支持部材を金属板４とは別個に設けた構造に比べると、部品点数を少なくすることができ、構造を簡素化でき、製作コストを低減することができる。
（８）  既に敷地に立設されて長年使用されていた一般的な柵１（返しのない従来の柵）に対し、この柵１の柵部３に金属板４を重ね合わせて固定するとともに、柵部３の上端部の上側枠７に塩ビパイプ５を載置固定するといった簡単な追加工事を行うことで、本発明の柵１を完成させることができる。
（９）  塩ビパイプ５を柵部３の上側枠７に固定する場合、一般的には、両端部に雄ねじ部を備えたＵ字状の金具と、前記上側枠から柵部の内外方向に張り出させた取り付け板とから成る固定具を用い、Ｕ字状の金具を円筒部材に上方から外嵌するとともに、前記雄ねじ部を取り付け板側のナットに螺合させて固定する方法が考えられる。しかしながら、このような固定手段では、上側枠７から柵部３の内外方向Ｗに張り出させた取り付け板にねこ等が爪を引っ掛けて円筒部材を乗り越えやすい。
これに対して、本発明の上記構成によれば、前記塩ビパイプ５と前記上側枠７とに巻回された針金６により、塩ビパイプ５が上側枠７に締め付け固定されているから、ねこ１１等が爪１０を引っ掛ける張り出し部が上側枠７付近に形成されることを回避することができる。従って、ねこ１１等が塩ビパイプ５を乗り越えることを確実に防止することができる。
［１０］  塩ビパイプ５に上方からスクリューを貫通させて、塩ビパイプ５を柵部３の上側枠７にスクリューで取り付けると、上側枠７にスクリュー孔が形成され、スクリュー孔の内周面に錆が発生して、上側枠７の耐久性が低くなる。また、長いスクリューが必要になり、スクリューに要するコストが高くなる
これに対して、本発明の上記構成によれば、上側枠７にスクリュー孔を形成しないから、上側枠７に錆が発生することを回避でき、上側枠７の耐久性を向上させることができる。そして、スクリューを不要にできて、コストを低減することができる。
【００２０】
［別実施形態］
（１）  前記小動物は、ねこ１１に限られるものではなく、ねこ１１の他にアライグマ、ハクビシン、いたち、あなぐま、たぬき等、爪を備えた種々の動物であってもよい。
（２）  前記円筒部材５は金属製のパイプであってもよい。
（３）  前記板材４は樹脂製であってもよい。
（４）  前記板材４は扁平な板材であってもよい。
（５）  前記板材４は、前記複数の支柱２が並ぶ方向Ｊから見た縦断面において（塩ビパイプ５の長手方向から見た縦断面において）円弧波形状に形成された波板（波が上下方向に連続する波板）であってもよい。
（６）  本発明の柵１は動物園にも設置することもできる。
（７）  前記締め付け部材６は、紐状の部材・テープ状の部材・帯状の部材等であってもよい。
【符号の説明】
【００２１】
３        柵部
４        板材（金属板）
４Ｊ      板材の上端（金属板の上端）
５        円筒部材（塩ビパイプ）
６        締め付け部材（針金）
７        上側枠
１０      ねこ等の小動物の爪
１１      小動物（ねこ）
【図１】
0006629603.tif 000002
【図２】
0006629603.tif 000003
【図３】
0006629603.tif 000004
【図４】
0006629603.tif 000005
【図５】
0006629603.tif 000006